(57)【要約】【課題】  ハンマーを長期間使用しても、ハンマー柄に対してハンマー頭部がガタ付いたり外れたりするおそれのない頑丈なハンマーを提供する。【解決手段】  ハンマー頭部２にパイプ材により構成したハンマー柄３の先端部の取付筒部８を内嵌固定するようにしたハンマーであって、ハンマー柄３の先端側に、補強部材１０がハンマー柄３の取付筒部８からその基部側に跨って内嵌固定され、該補強部材１０は、ハンマー頭部２内に位置する内補強部１１と、ハンマー頭部２からハンマー柄３の基部側に突出した外補強部１２とを一体に有している。【選択図】図１
2015074044.tif 000002
【特許請求の範囲】
【請求項１】
ハンマー頭部（２）にパイプ材により構成したハンマー柄（３）の先端部の取付筒部（８）を内嵌固定するようにしたハンマーであって、
ハンマー柄（３）の先端側に、補強部材（１０）がハンマー柄（３）の取付筒部（８）からその基部側に跨って内嵌固定され、該補強部材（１０）は、ハンマー頭部（２）内に位置する内補強部（１１）と、ハンマー頭部（２）からハンマー柄（３）の基部側に突出した外補強部（１２）とを一体に有していることを特徴とするハンマー。
【請求項２】
前記取付筒部（８）は、ハンマー頭部（２）内で補強部材（１０）よりもハンマー柄（３）の先端側に突出した空洞筒片（１６）を有していることを特徴とする請求項１に記載のハンマー。
【請求項３】
補強部材（１０）は中実な金属製の柱状体により構成され、ハンマー柄（３）の先端側に圧入固定されていることを特徴とする請求項１又は２に記載のハンマー。
【請求項４】
前記補強部材（１０）は金属製の円筒体により構成され、ハンマー柄（３）の先端側に圧入固定されていることを特徴とする請求項１又は２に記載のハンマー。
【請求項５】
ハンマー柄（３）の先端側であってハンマー頭部（２）よりも基部側に、カバー筒体（１８）がハンマー頭部（２）に接当又は近接するように外嵌固定されていることを特徴とする請求項１〜４のいずれかに記載のハンマー。
【発明の詳細な説明】
【技術分野】
【０００１】
本発明は、ハンマー頭部とパイプ材により構成したハンマー柄と備えたハンマーに関するものである。
【背景技術】
【０００２】
ハンマーには、ハンマー頭部に嵌合孔が設けられ、この嵌合孔を介してパイプ材により構成したハンマー柄の先端部の取付筒部を内嵌固定するようにしたものがある。
この種の従来のハンマーは、単にハンマー柄の先端部の取付筒部の外周に接着剤を塗布してハンマー頭部に嵌合孔を介して圧入して固定したものが一般的である（例えば特許文献１，２）。
【先行技術文献】
【特許文献】
【０００３】
【特許文献１】実公平６−１３４１号公報
【特許文献２】特開２００２−８６３６９号公報
【発明の概要】
【発明が解決しようとする課題】
【０００４】
しかし、従来の場合、ハンマーの使用によって、ハンマー柄の先端側のハンマー頭部から基部側に突出した部分で誤って対象物を叩くことがあり、このような場合、ハンマー柄の先端側が図１に２点鎖線で示すように内方に凹み、このため、取付筒部がハンマー頭部の嵌合孔の内面から剥がれ、この剥がれが次第に大きくなることがあった。また、ハンマーで対象物を叩く際の衝撃で、ハンマー柄の先端側であってハンマー頭部から基部側に突出した部分に曲げ荷重が強く働いて割れが生じたり金属疲労が生じたりした。従って、短期間の使用によってハンマー柄に対してハンマー頭部がガタ付いたり、外れたりするおそれがあった。
【０００５】
本発明は上記問題点に鑑み、ハンマーを長期間使用しても、ハンマー柄に対してハンマー頭部がガタ付いたり外れたりするおそれのない頑丈なハンマーを提供することを目的としている。
【課題を解決するための手段】
【０００６】
本発明における課題解決のための具体的手段は、次の通りである。
この技術的課題を解決する本発明の技術的手段は、ハンマー頭部２にパイプ材により構成したハンマー柄３の先端部の取付筒部８を内嵌固定するようにしたハンマーであって、
ハンマー柄３の先端側に、補強部材１０がハンマー柄３の取付筒部８からその基部側に跨って内嵌固定され、該補強部材１０は、ハンマー頭部２内に位置する内補強部１１と、ハンマー頭部２からハンマー柄３の基部側に突出した外補強部１２とを一体に有している点にある。
【０００７】
また、本発明の他の技術的手段は、前記取付筒部８は、ハンマー頭部２内で補強部材１０よりもハンマー柄３の先端側に突出した空洞筒片１６を有している点にある。
また、本発明の他の技術的手段は、補強部材１０は中実な金属製の柱状体により構成され、ハンマー柄３の先端側に圧入固定されている点にある。
また、本発明の他の技術的手段は、前記補強部材１０は金属製の円筒体により構成され、ハンマー柄３の先端側に圧入固定されている点にある。
【０００８】
また、本発明の他の技術的手段は、ハンマー柄３の先端側であってハンマー頭部２よりも基部側に、カバー筒体１８がハンマー頭部２に接当又は近接するように外嵌固定されている点にある。
【発明の効果】
【０００９】
本発明によれば、ハンマーの使用によって、ハンマー柄の先端側であってハンマー頭部から基部側に突出した部分で対象物を叩くことがあっても、ハンマー柄の取付筒部からその基部側に跨って補強部材が内嵌固定されているため、ハンマー柄の先端側が内方に凹むのを補強部材によって効果的に防止することができ、このため、取付筒部がハンマー頭部
の嵌合孔の内面から剥がれるのを未然に防止できる。また、ハンマー柄の先端側の曲げ荷重が強く働く部分を補強部材によって効果的に補強することができるため、ハンマーで対象物を叩く際の衝撃でハンマー柄の先端側であってハンマー頭部から基部側に突出した部分に曲げ荷重が強く働いても、ハンマー柄の先端側に割れが生じたり金属疲労が生じたりするのを防ぐことができる。
【００１０】
従って、長期間の使用によってもハンマー柄に対してハンマー頭部がガタ付いたり、外れたりするのを防止することができ、簡単な構成によって叩く際の衝撃に強い頑丈なハンマーになし得る。
【図面の簡単な説明】
【００１１】
【図１】本発明の第１実施形態を示すハンマーの正面断面図である。
【図２】同ハンマーの正面図である。
【図３】同ハンマーの平面図である。
【図４】図１のＡ−Ａ線断面図である。
【図５】図１のＢ−Ｂ線断面図である。
【図６】第２実施形態を示すハンマーの正面断面図である。
【図７】第３実施形態を示すハンマーの正面断面図である。
【発明を実施するための形態】
【００１２】
以下、本発明の実施の形態を図面に基づいて説明する。
図１〜図５は本発明の第１実施形態を示している。図１〜図５において、ハンマー１は、ハンマー頭部２とパイプ材により構成したハンマー柄３とを備えている。
ハンマー頭部２は、鉄等により構成されて、ハンマー柄３と直交する方向に長い角柱状に形成され、ハンマー頭部２の長手方向の両端面が打撃面２ａとされている。
【００１３】
ハンマー頭部２の中央部にハンマー柄３の先端側を内嵌固定するための嵌合孔６が設けられている。嵌合孔６はハンマー柄３の長手方向に長い円柱状の孔であってハンマー柄３の突出側（基部側）が開口しその反対側が閉塞している。
ハンマー柄３は、スチールパイプや鉄パイプ等の金属製のパイプ材、硬質合成樹脂製のパイプ材又はグラスファイバー製のパイプ材その他のパイプ材により構成され、ハンマー柄３の基部側はパイプ材をやや扁平に変形させることによりハンマー頭部２の長手方向に長い楕円の筒状に形成されている。ハンマー柄３の先端側は円筒状に形成され、ハンマー柄３の先端部がハンマー頭部２に内嵌固定される円筒形状の取付筒部８とされている。
【００１４】
ハンマー柄３の取付筒部８はハンマー頭部２にその嵌合孔６を介してプレスにより圧入して内嵌されている。また、取付筒部８はその外周面にエポキシ樹脂系の接着剤が塗布されていて、この接着剤によりハンマー頭部２の嵌合孔６の内周面に接着されている。
ハンマー柄３の先端側に、補強部材１０がハンマー柄３の取付筒部８からその基部側に跨って内嵌固定されている。補強部材１０は中実な鉄その他の金属製の柱状体により構成され、ハンマー柄３の先端側に圧入固定されている。
【００１５】
補強部材１０は、ハンマー頭部２（取付筒部８）内に位置する内補強部１１と、ハンマー頭部２からハンマー柄３の基部側に突出した外補強部１２とを一体に有している。
前記補強部材１０の外補強部１２側の端部に、先端に向かうに従って徐々に細くなったテーパー部１４が形成されている。
補強部材１０はハンマー柄３よりもやや柔軟な鉄その他の材料で形成されている。このように、ハンマー柄３と補強部材１０との間に硬度差を設けることにより、ハンマー柄３に対して補強部材１０をプレス等によって圧入し易くなしている。
【００１６】
前記取付筒部８はその先端側に、ハンマー頭部２内で補強部材１０よりもハンマー柄３の先端側に突出した空洞筒片１６を一体に有し、空洞筒片１６は嵌合孔６の奥部（底部）に内嵌固定されている。
ハンマー柄３の先端側であってハンマー頭部２よりも基部側にカバー筒体１８が設けられている。カバー筒体１８はウレタン等の柔軟な合成樹脂やゴム等によって円筒状に形成され、ハンマー柄３の先端側であってハンマー頭部２よりも基部側にハンマー頭部２に接当又は近接するように外嵌され、ハンマー頭部２及びハンマー柄３にエポキシ樹脂系の接
着剤により接着されている。
【００１７】
ハンマー柄３の基部にグリップ２０が外嵌固定されている。グリップ２０はゴム製又は柔軟な合成樹脂製であり、ハンマー頭部２の長手方向に長い楕円の筒状に形状されている。
グリップ２０の外周面には、多数の第１グリップ溝２１をグリップ２０長手方向に１列状に形成してなる第１溝列２２と、多数の第２グリップ溝２３をグリップ２０長手方向に１列状に形成してなる第２溝列２４とがグリップ２０周方向に隣り合うように設けられている。
【００１８】
即ち、グリップ２０の厚み方向（楕円の短軸方向）の両側面に、第１溝列２２と第２溝列２４とがそれぞれ楕円の長軸方向に並んで設けられている。従って、第１溝列２２と第２溝列２４とはグリップ２０の厚み方向の両側面にそれぞれ１つずつ配置されている。
そして、グリップ２０の厚み方向の両側面において第１溝列２２と第２溝列２４とがそれぞれ厚み方向の両側面の幅方向中央で隣り合うように配置されており、第１溝列２２の第１グリップ溝２１と第２溝列２４の第２グリップ溝２３とは、グリップ２０長手方向の基部側に行くに従って徐々に第１溝列２２と第２溝列２４との境界部分である幅方向中央に向かうように互いにハの字状に傾斜されている。
【００１９】
このように第１溝列２２の第１グリップ溝２１と第２溝列２４の第２グリップ溝２３とがハの字状に傾斜されることにより、グリップ２０がこれを握る手に対してハンマー柄３の先端側に向けて滑るときの摩擦抵抗が、手に対してグリップ２０をより強く握るように作用するようになっている。
前記実施形態によれば、ハンマー頭部２とハンマー柄３とを組み付ける場合、まず、ハンマー柄３の先端から補強部材１０をプレス等で圧入してハンマー柄３の取付筒部８からその基部側に跨って内嵌固定し、また、カバー筒体１８をハンマー柄３にその先端から外嵌して、これを外嵌固定する位置よりやや基部側まで移動しておく。
【００２０】
その後、取付筒部８の外周面に接着剤を塗布して、ハンマー柄３の取付筒部８を空洞筒片１６側からハンマー頭部２に嵌合孔６を介してプレス等により圧入する。
次に、カバー筒体１８の基部側の端面やハンマー柄３の先端側の外周面にエポキシ樹脂系の接着剤を塗布し、その後、カバー筒体１８をハンマー柄３の先端側に摺動して、ハンマー頭部２に接当させてカバー筒体１８をハンマー頭部２及びハンマー柄３の先端側に接着剤で接着すればよい。
【００２１】
そして、ハンマー頭部２とハンマー柄３とを組み付けた後には、ハンマー１の使用によって、ハンマー柄３の先端側であってハンマー頭部２から基部側に突出した部分で対象物を叩くことがあっても、ハンマー柄３の取付筒部８からその基部側に跨って補強部材１０が内嵌固定されているため、ハンマー柄３の先端側が図１に２点鎖線で示すように内方に凹むのを補強部材１０によって効果的に防止することができ、このため、取付筒部８がハンマー頭部２の嵌合孔６の内面から剥がれるのを未然に防止できる。
【００２２】
また、ハンマー柄３の先端側の曲げ荷重が強く働く部分を補強部材１０によって効果的に補強することができるため、ハンマー１で対象物を叩く際の衝撃でハンマー柄３の先端側のハンマー頭部２から基部側に突出した部分に曲げ荷重が強く働いても、ハンマー柄３の先端側に割れが生じたり金属疲労が生じたりするのを防ぐことができる。
従って、長期間の使用によってもハンマー柄３に対してハンマー頭部２がガタ付いたり、外れたりするのを防止することができ、簡単な構成によって叩く際の衝撃に強い頑丈なハンマー１になし得る。
【００２３】
そして、本実施形態では、取付筒部８は、ハンマー頭部２内で補強部材１０よりもハンマー柄３の先端側に突出した空洞筒片１６を有しているので、ハンマー頭部２にハンマー柄３の取付筒部８を内嵌固定する際に、取付筒部８を空洞筒片１６側から圧入することにより、空洞筒片１６は補強部材１０が内嵌されている部分に比べて変形し易いため、取付筒部８に補強部材１０が内嵌されて凹みが生じ難くなっているにも拘わらず、取付筒部８の圧入の先頭部分（空洞筒片１６）を微妙に凹ませながら取付筒部８全体をスムーズに圧入して内嵌固定することができる。
【００２４】
また、補強部材１０の外補強部１２側の端部にテーパー部１４が形成されているので、ハンマー柄３の先端から補強部材１０を圧入する際に、補強部材１０をテーパー部１４からハンマー柄３に圧入すればよく、補強部材１０をハンマー柄３に楽に圧入することができる。
また、ハンマー柄３の先端側であってハンマー頭部２よりも基部側に、カバー筒体１８がハンマー頭部２に接当又は近接するように外嵌され、カバー筒体１８はハンマー頭部２に接着剤により接着されているので、ハンマー柄３の先端側のハンマー頭部２から基部側に突出した部分で対象物を叩くことがあっても、このときの衝撃をカバー筒体１８で上手く緩衝することができ、この点からも、ハンマー柄３の先端側が図１に２点鎖線で示すように内方に凹むのを防止できる。また、カバー筒体１８によりハンマー１の頭部側の体裁をよくして、ハンマー１をデザイン的により優れたものになすことができる。
【００２５】
また、グリップ２０の外周面に設けた第１溝列２２の第１グリップ溝２１と第２溝列２４の第２グリップ溝２３とは、グリップ２０長手方向の基部側に行くに従って徐々に第１溝列２２と第２溝列２４との間の境界部分に向かうように互いにハの字状に傾斜されているので、グリップ２０がこれを握る手に対してハンマー柄３先端側に向けて滑るときの摩擦抵抗が手に対してグリップ２０をより強く握るように作用し、ハンマー１のグリップ２０を手から抜脱しないように強く握ってハンマー１で対象物を叩くことができる。
【００２６】
図６は第２実施形態を示し、補強部材１０を金属製の円筒体により構成し、この補強部材１０を前記第１実施形態の場合と同様にハンマー柄３の取付筒部８からその基部側に跨って内嵌固定したものである。その他の点は前記第１実施形態の場合と同様の構成である。
図７は第３実施形態を示し、ハンマー柄３をパイプ材により構成した柄本体３７と取付筒体３８とで構成し、柄本体３７の先端側に、取付筒体３８を柄本体３７の先端側から外方突出するように内嵌固着し、この取付筒体３８の外方突出部で取付筒部８を構成したものであり、このハンマー柄３の一部を構成する取付筒体３８の取付筒部８をハンマー頭部２に嵌合孔６を介して内嵌固定するようにしている。
【００２７】
その他の点は、第１実施形態の場合と同様の構成であって、ハンマー柄３の先端側に、補強部材１０がハンマー柄３の取付筒部８からその基部側に跨って内嵌固定され、補強部材１０は、ハンマー頭部２内に位置する内補強部１１と、ハンマー頭部２からハンマー柄３の基部側に突出した外補強部１２とを一体に有している。
なお、前記実施形態では、取付筒部８に、ハンマー頭部２内で補強部材１０よりもハンマー柄３の先端側に突出した空洞筒片１６が設けられているが、これに代え、取付筒部８の全体に補強部材１０の内補強部１１を内嵌固定して、取付筒部８の空洞筒片１６を省略するようにしてもよい。
【００２８】
また、前記実施形態では、補強部材１０はハンマー柄３（取付筒部８）よりもやや柔軟な材料で形成されているが、これに代え、補強部材１０を鉄その他によりハンマー柄３よりもやや硬質な材料で形成して、ハンマー柄３（取付筒部８）と補強部材１０との間に硬度差を設けるようにしてもよいし、補強部材１０をハンマー柄３と同一硬度の材料で形成するようにしてもよい。また、補強部材１０は鉄製以外に合成樹脂、グラスファイバー、スチールその他により構成してもよい。
【００２９】
また、前記実施形態では、ハンマー柄３の取付筒部８はその外周面にエポキシ樹脂系の接着剤が塗布されていて、この接着剤によりハンマー頭部２の嵌合孔６の内周面に接着されているが、これに代え、ハンマー柄３の取付筒部８をハンマー頭部２にその嵌合孔６を介してプレスにより圧入して内嵌固定するのみで、接着剤による接着を省略するようにしてもよい。
【符号の説明】
【００３０】
１      ハンマー
２      ハンマー頭部
３      ハンマー柄
８      取付筒部
１０    補強部材
１１    内補強部
１２    外補強部
１６    空洞筒片
【図１】
2015074044.tif 000003
【図２】
2015074044.tif 000004
【図３】
2015074044.tif 000005
【図４】
2015074044.tif 000006
【図５】
2015074044.tif 000007
【図６】
2015074044.tif 000008
【図７】
2015074044.tif 000009